(57)【要約】【課題】  開閉操作を短時間でなし得、かつ、閉鎖を確実にし得る柔軟性筒体の開閉装置の提供。【解決手段】  径方向へ押し潰して締め付けられる筒体１の被締付け部１ａの両端に取り付けた径方向の各２本の引張りテープ２と、両端の引張りテープ間における筒体の被締付け部にそれぞれ取り付けられ、柔軟性のある材料からなる周方向のアーム通し筒３ａ，３ｂと、角棒状の２本のアーム５ａ，５ｂをピン６で連結した１対の折曲アーム５が両アーム通し筒に挿通され、両折曲アームの両端が引張りテープを挿通可能になして２本のピン８及びリンクプレート１０により変形可能な方形に連結され、両折曲アームが一直線で平行をなす状態で引張りテープが筒体を引っ張るように両折曲アームの両端に巻き付けられ、両折曲アームを方形から一直線で平行をなす状態まで変形すると共に平行をなす状態に保持する変形・保持手段を有する締結具とを備える。【選択図】  図２
0003104060.tif 000002
【実用新案登録請求の範囲】
【請求項１】
柔軟性のある材料からなり、径方向へ押し潰して締め付けられる筒体の被締付け部の両端に取り付けた径方向の各２本の引張りテープと、両端の引張りテープ間における筒体の被締付け部にそれぞれ取り付けられ、柔軟性のある材料からなる周方向のアーム通し筒と、角棒状の２本のアームをピンで連結した１対の折曲アームが両アーム通し筒に挿通され、両折曲アームの両端が引張りテープを挿通可能になして２本のピン及びリングプレートにより変形可能な方形に連結され、両折曲アームの両端に巻き付けられ、かつ、両折曲アームを方形から一直線で平行をなす状態まで変形すると共に一直線で平行をなす状態に保持する変形・保持手段を有する締付け具とを備えることを特徴とする柔軟性筒体の開閉装置。
【請求項２】
前記筒体の被締付け部と締付け具の折曲アームとの間に介装された弾性体を備えることを特徴とする請求項１記載の柔軟性筒体の開閉装置。
【請求項３】
前記アーム通し筒が折曲アームの折曲部を露出可能であることを特徴とする請求項１又は２記載の柔軟性筒体の開閉装置。
【考案の詳細な説明】
【技術分野】
【０００１】
本考案は、柔軟性のある材料からなる筒体を開閉する柔軟性筒体の開閉装置に関する。
【背景技術】
【０００２】
柔軟性筒体、例えば、粉粒体の輸送に用いられるフレキシブルコンテナの注入口及び／又は排出口、あるいはマンホールの出入口の開閉手段としては、従来、紐を用いて柔軟性のある材料、例えば、クロスからなる筒体を緊縛したり解放したりすることが知られている（例えば、ＪＩＳ  Ｚ  １６５１：２００２）。
【０００３】
しかし、従来の柔軟性筒体の開閉手段では、筒体の開閉に長時間を要すると共に、時として、筒体の閉鎖が不確実となったりする不具合がある。
【考案の開示】
【考案が解決しようとする課題】
【０００４】
本考案は、開閉操作を短時間でなし得、かつ、閉鎖を確実にし得る柔軟性筒体の開閉装置の提供を課題とする。
【課題を解決するための手段】
【０００５】
本考案の第１の柔軟性筒体の開閉装置は、柔軟性のある材料からなり、径方向へ押し潰して締め付けられる筒体の被締付け部の両端に取り付けた径方向の各２本の引張りテープと、両端の引張りテープ間における筒体の被締付け部にそれぞれ取り付けられ、柔軟性のある材料からなる周方向のアーム通し筒と、角棒状の２本のアームをピンで連結した１対の折曲アームが両アーム通し筒に挿通され、両折曲アームの両端が引張りテープを挿通可能になして２本のピン及びリンクプレートにより変形可能な方形に連結され、両折曲アームが一直線で平行をなす状態で引張りテープが筒体を引っ張るように両折曲アームの両端に巻き付けられ、かつ、両折曲アームを方形から一直線で平行をなす状態まで変形すると共に一直線で平行をなす状態に保持する変形・保持手段を有する締付け具とを備えることを特徴とする。
【０００６】
又、第２の柔軟性筒体の開閉装置は、第１のものにおいて、前記筒体の被締付け部と締付け具の折曲アームとの間に介装された弾性体を備えることを特徴とする。
【０００７】
一方、前記アーム通し筒が折曲アームの折曲部を露出可能であることが好ましい。
【考案の効果】
【０００８】
本考案の第１の柔軟性筒体の開閉装置によれば、締付け具の変形・保持手段を操作し、方形をなす１対の折曲アームを一直線で平行をなすように変形することにより、筒体の被締付け部が引張りテープによって径方向へ引っ張られ、径方向へ押し潰して締め付けられて筒体が閉鎖状態に保持される一方、一直線で平行をなす１対の折曲アームを方形をなすように変形することにより、筒体の被締付け部が引張りテープによる径方向への緊張を解除され、アーム通し筒が折曲アームの変形に伴って変形して筒体が開放状態となるので、開閉操作を極めて短時間で行うことができ、かつ、閉鎖を確実にすることができる。
【０００９】
又、第２の柔軟性筒体の開閉装置によれば、第１のものによる作用効果の他、閉鎖状態における１対の折曲アームと被締付け部との間に弾性体が介在されるので、閉鎖を一層確実にすることができる。
【００１０】
一方、アーム通し筒が折曲アームの折曲部を露出可能であることにより、アーム通し筒が折曲アームの折曲に干渉しないので、折曲アームの折曲を円滑にすることができる。
【考案を実施するための最良の形態】
【００１１】
締付け具の折曲アームは、２本のアームが一直線をなす１８０°と直角をなす９０°の範囲で折曲可能であればよい。
折曲アームの２本のアームの長さは、等しいのが筒体の開放時の空断面積が最大となるので好ましいが、異っていてもよい。
【００１２】
又、締付け具の折曲アームの両端への引張りテープの巻き付けには、折曲アームの両端のピンへローラを嵌装し、このローラに引張りテープを巻き掛け、引張りテープの動きを円滑にするようにすることが好ましい。
【００１３】
更に、締付け具の変形・保持手段の操作は、手動、自動のいずれであってもよい。
手動の変形・保持手段としては、例えば、１対の折曲アームの対向する一方のアームを他方のアーム側へ延長して開閉アームとし、一方の開閉アーム端に他方の開閉アーム端に引っ掛け可能な掛止め具を設け、この掛止め具により１対の折曲アームを一直線で平行をなす状態に保持するようにすることが考えられる。
一方、自動の変形・保持手段としては、１対の折曲アームの対向する一方のアームを他方のアームと反対側へ延長して開閉アームとし、両開閉アームの端部に設けたナット部材に互いに異なる向きのねじ山を形成したねじ棒を螺入し、このねじ棒をステッピングモータ等の回転駆動装置により可逆回転可能に設けるようにすることが考えられる。
【００１４】
弾性体としては、シリコーンゴム、合成ゴム、その他が用いられる。
【実施例１】
【００１５】
図１、図２、図３、及び図４は、本考案に係る柔軟性筒体の開閉装置の実施例１を示す筒体の開放状態の平面図、図１の柔軟性筒体の開閉装置における筒体の閉鎖状態の平面図、図２におけるＡ方向からの矢視図、及び図２におけるＢ方向からの矢視図である。
【００１６】
この柔軟性筒体の開閉装置は、折り畳み可能とすべくクロス等の柔軟性のある材料からなる筒体１を径方向（図３においては左右方向）へ押し潰して締め付けて閉鎖したり、締め付けを解除して開放したりする操作を手動で行うものであり、筒体１の径方向へ押し潰して締め付けられる被締付け部１ａの両端（図３においては左右両端）には、筒体１と同様の材料からなる各２本の引張りテープ２が、径方向へ延在させて取り付けられている。
【００１７】
そして、両端の各引張りテープ２間における筒体１の被締付け部１ａには、筒体１と同様の材料からなり、後述する折曲アームを挿通可能とし、かつ、その折曲部を露出可能とする各２本のアーム通し筒３ａ，３ｂが取り付けられていると共に、折曲アームによる筒体１の締め付けを一層確実にするためシリコーンゴムから平紐状の弾性体４が取り付けられている。
【００１８】
上記各２本のアーム通し筒３ａ，３ｂには、角棒状で長さの等しい２本のアーム２ａ，２ｂを筒体１の軸方向（図３においては上下方向）と同方向のピン６で連結した１対の折曲アーム５が挿通されている。
１対の折曲アーム５は、後述する変形・保持手段等と相俟って締付け具７を構成するものであり、前記ピン６と平行なピン８を介してローラ９を軸着した１対の折曲アーム５の両端は、各２枚の引張りテープ２を挿通可能になしてリンクプレート１０により変形可能な正方形に連結されており、又、１対の折曲アーム５の両端には、図２に示すように両折曲アーム５が一直線で平行をなす状態で、それぞれのローラ９に巻き掛けられた引張りテープ２が、筒体１を径方向へ引っ張るようにしてビス１１により取り付けられている。
【００１９】
１対の折曲アーム５の対向する一方のアーム５ａには、手動操作によって、両折曲アーム５を正方形から一直線で平行をなす状態まで変形すると共に、一直線で平行な状態に保持する変形・保持手段１２の一部を構成する開閉アーム１３ａ，１３ｂが、他方のアーム５ｂ側へそれと干渉しないように延長して一体的に設けられており、一方の開閉アーム１３ａの端部には、１対の折曲アーム５を一直線で平行な状態に保持すべく、他方の開閉アーム１３ｂの他端に引っ掛け可能な掛止め具１４が取り付けられている。
掛止め具１４は、一方の開閉アーム１３ａの端部に前記ピン６，８と平行なピン１５を介して軸着したほぼ矩形板状の施回プレート１６と、施回プレート１６の一端に取り付けたハンドル１７と、施回プレート１６の他端にピン１５の軸線と平行な軸線回りに回動可能に取り付けられ、他方の開閉アーム１３ｂ端部に掛止め可能なほぼ矩形リング状の引掛けリング１８とからなるものである。
【図面の簡単な説明】
【００２０】
【図１】本考案に係る柔軟性筒体の開閉装置の実施例１を示す筒体の開放状態の平面図である。
【図２】図１の柔軟性筒体の開閉装置における筒体の閉鎖状態の平面図である。
【図３】図２におけるＡ方向からの矢視図である。
【図４】図２におけるＢ方向からの矢視図である。
【符号の説明】
【００２１】
１    筒体
１ａ    被締付け部
２    引張りテープ
３ａ    アーム通し筒
３ｂ    アーム通し筒
４    弾性体
５    折曲アーム
５ａ    アーム
５ｂ    アーム
６      ピン
７    締付け具
１８    ピン
９    ローラ
１０    リンクプレート
１１    ビス
１２    変形・保持手段
１３ａ    開閉アーム
１３ｂ    開閉アーム
１４    掛止め具
１５    ピン
１６    施回プレート
１７    ハンドル
１８    引掛けリング
【図１】
0003104060.tif 000003
【図２】
0003104060.tif 000004
【図３】
0003104060.tif 000005
【図４】
0003104060.tif 000006